(57)【要約】【課題】電子機器や電子部品を搭載する電子装置用筐体において、筐体周辺に対して障害や雑音対策がとられる一方、機器や電子部品からの発熱を効率的に放熱する電子装置用筐体を得ること。【解決手段】電子装置用筐体１０は、内部に電子装置を装着した電子装置用筐体本体１１と、電子装置用筐体本体１１の側面および前面の少なくとも一方に設けられる開口１１ａを開閉自在に設けられる扉体１３Ａとを具備する。電子装置用筐体本体１１は、電子装置からの発熱を吸熱した吸熱空気ｂ２を外部に排出する排気装置１２を備え、扉体１３Ａは、表面１３Ａａおよび裏面１３Ａｂに設けられる透孔群１４ａおよび１４ｂと、表面１３Ａａおよび裏面１３Ａｂの間に設けられる空洞部ｋを備え、空洞部ｋには、電子装置から発生する電波漏洩を抑止する電波等漏洩抑止手段１４Ａを備える。この電波等漏洩抑止手段１４Ａは、電子装置から発生する音波漏洩を抑止する音波吸収体１７を備える。【選択図】  図２
2009016481.tif 000002
【特許請求の範囲】
【請求項１】
内部に電子装置を装着した電子装置用筐体本体と、
前記電子装置用筐体本体の側面および前面の少なくとも一方に設けられる開口を開閉自在に設けられる扉体と、を具備し、
前記電子装置用筐体本体は、前記電子装置からの発熱を吸熱した吸熱空気を外部に排出する排気装置を備え、
前記扉体は、表面および裏面に設けられ、前記排気装置の作動により外気を通過し得る透孔群と、前記表面および裏面の間に設けられる空洞部を備え、
前記空洞部には、前記電子装置から発生する電波漏洩を抑止する電波等漏洩抑止手段を備えたことを特徴とする電子装置用筐体。
【請求項２】
前記電波等透過抑制手段は、基板部と、この基板部の少なくとも一方の面に添付される電波反射体を備えたことを特徴とする請求項１記載の電子装置用筐体。
【請求項３】
前記電波反射体は、電波吸収体の外面を覆うように電波反射層を設けたことを特徴とする請求項２記載の電子装置用筐体。
【請求項４】
前記電波反射体は、電波吸収体を波面に形成し、この波面を覆うように電波反射層が設けられ、その波面の振幅がλ／４以下になされたことを特徴とする請求項３記載の電子装置用筐体。
【請求項５】
前記電波反射体に設けられる電波吸収体は、音波も吸収するラバー状のものであることを特徴とする請求項３記載の電子装置用筐体。
【請求項６】
内部に電子装置を装着した電子装置用筐体本体と、
前記電子装置用筐体本体の側面に設けられる開口を開閉自在に設けられる扉体と、を具備し、
前記電子装置用筐体本体は、前記電子装置からの発熱を吸熱した吸熱空気を外部に排出する排気装置を備え、
前記扉体は、表面および裏面に設けられ、前記排気装置の作動により外気を通過し得る透孔群と、前記表面および裏面の間に設けられる空洞部を備え、
前記空洞部には、前記電子装置から発生する音波の漏洩を抑止する電波等漏洩抑止手段を備えたことを特徴とする電子装置用筐体。
【請求項７】
前記電波等漏洩抑止手段は、基板部と、この基板部の少なくとも一方の面に添付される音波吸収体とを備えたことを特徴とする請求項６記載の電子装置用筐体。
【請求項８】
前記音波吸収体は、通気性を有するラバー状のものであることを特徴とする請求項７記載の電子装置用筐体。
【請求項９】
前記音波吸収体は、吸湿性および振動吸収性の少なくとも１つの機能を有することを特徴とする請求項７記載の電子装置用筐体。
【請求項１０】
前記扉体は、電子装置用筐体本体の相対向する開口側のそれぞれに開閉自在に設けられたことを特徴とする請求項１または６記載の電子装置用筐体。
【請求項１１】
前記電波等漏洩抑止手段の基板部は、扉体の内側上下に掛け渡して取り付けられたことを特徴とする請求項１または６記載の電子装置用筐体。
【発明の詳細な説明】
【技術分野】
【０００１】
この発明は、電子機器等の電磁波の発生する機器を搭載したラック等の筐体に係るもので、筐体から電磁波や電子音が漏出るのを防止して外部環境にもやさしい電子装置用筐体の改良に関する。
【背景技術】
【０００２】
従来、この種の電子装置用筐体は、電磁波が発生したり、電子装置の大型化や設置密度の高度化に伴い、電子装置から発する電磁波や電子音が大きくなったり、また同時に発熱量も増大して、近年に至っては、電子装置や電子部品の電磁環境適合性（ＥＭＣ；Ｅｌｅｃｔｒｏ  Ｍａｇｎｅｔｉｃ  Ｃｏｍｐａｔｉｂｉｌｉｔｙ）が評価されるようになってきた。
【０００３】
例えば、従来の電子装置用筐体においては、特に電子部品の実装密度が高度化することにより、電磁波や電子音が大きくなり、また、内部発熱量も増大することから、これらの電磁波や電子音が漏れ出ないようにして、電磁環境適合性を改善したり、更には、内部発熱の外部への放熱構造を積極的に採用せざるを得ない状況に変わりつつある。
【０００４】
このように、電子装置用筐体用としても利用可能な電磁波や電子音を吸収する防壁としての壁体が開発されている。従来の電磁波電子音吸収壁体の利用例として、図５および図６に示すように、道路側壁用として用いるに適する直方体形状の電磁波電子音吸収壁体が開発されている（特許文献１参照）。
【０００５】
図５は、従来の電磁波電子音吸収壁体の斜視図である。図６は、図５のＢ−Ｂ線に沿う拡大断面図である。
【０００６】
図５に示す電磁波電子音吸収壁体１は、道路中央部側（図示せず）から車両側から発する電磁波Ｄの入射する矢視方向に面して、多数の空孔２が設けられた外壁体３と、図６に示すように、この外壁体３内の中央部において縦に仕切るように設けられる反射層４と、外壁体３の空孔２の設けられない反対側の面３ａと反射層４との間に充填される吸音層５とから構成されている。
【０００７】
外壁体３に設けた空孔２は、平板状の板面に多数設けられ、その１つの孔径が、例えば電磁波の波長（λ）に対して、λ／４以下の径になるように設けられる。従って、電磁波Ｄの入射する方向からが入射しても透過しない構成になっている。こうすることにより、漏洩を防止することができるが、あまり小さくすると、空気ａの通りが悪くなり電子機器に対する冷却効果が低減するので所望の大きさに考慮する必要がある。
【０００８】
反射層４は、外壁体３に設けた空孔２よりやや形の小さい孔４ａが多数設けられる。吸音層５は、道路中央部側から入る音波Ｅの音を吸収するように設けられる。従って、道路を走行する車両側から発せられる電磁波Ｄや音波Ｅを吸収して、道路周辺の電波障害や雑音対策をとることができるようになっている。
【特許文献１】特開２００５−６４４０１号公報
【発明の開示】
【発明が解決しようとする課題】
【０００９】
しかしながら、従来の電磁波電子音吸収壁体１によれば、その利用例として、道路周辺の電波障害や雑音対策をとる点において、一定の効果が得られるものであるが、近時、その他の電磁波（以下、電波という。）や電子音（以下、音波という。）を発する物が多様化しており同様に電磁波による電波障害や電子音の雑音障害においてもその対策が求められている。
【００１０】
本発明は、上記の事情に鑑みてなされたもので、電子装置（電子部品を含む）を搭載する電子装置用筐体において、筐体周辺に対して電波障害や雑音対策がとられる一方、電子装置からの発熱を効率的に吸収して外部へ放熱する電子装置用筐体を提供することを目的とする。
【課題を解決するための手段】
【００１１】
上記目的を達成するために、本発明によれば、内部に電子装置を装着した電子装置用筐体本体と、前記電子装置用筐体本体の側面および前面の少なくとも一方に設けられる開口を開閉自在に設けられる扉体と、を具備し、前記電子装置用筐体本体は、前記電子装置からの発熱を吸熱した吸熱空気を外部に排出する排気装置を備え、前記扉体は、表面および裏面に設けられる通気孔群と、前記表面および裏面の間に設けられる空洞部を備え、前記空洞部には、前記電子装置から発生する電波漏洩を抑止する電波等漏洩抑止手段を備え、前記電波等漏洩抑止手段は、前記電子装置から発生する音波漏洩を抑止する音波吸収体を備えたことを特徴とする電子装置用筐体を提供する。
【００１２】
上記目的を達成するために、本発明によれば、内部に電子装置を装着した電子装置用筐体本体と、前記電子装置用筐体本体の側面に設けられる開口を開閉自在に設けられる扉体と、を具備し、前記電子装置用筐体本体は、前記電子装置からの発熱を吸熱した吸熱空気を外部に排出する排気装置を備え、前記扉体は、表面および裏面の少なくとも一方に設けられる電波透過抑制孔群と、前記表面および裏面の間に設けられる空洞部を備え、前記空洞部には、前記電子装置から発生する電波漏洩および音波漏洩の少なくとも一方を抑止する電波等漏洩抑止手段を備えたことを特徴とする電子装置用筐体を提供する。
【発明の効果】
【００１３】
本発明によれば、使用する特定電子装置から発生する特定周波数の不快な電子音等の音波を発する電子装置を搭載した電子装置用筐体において、筐体周辺に対して電波障害や雑音対策がとられる一方、電子装置からの発熱を効率的に外部へ放熱する電子装置用筐体を提供することができる。
【発明を実施するための最良の形態】
【００１４】
本発明に係る電子装置用筐体の実施形態について、添付図面を参照して説明する。
【００１５】
図１は、本発明の電子装置用筐体の概要を示す斜視図である。図２は、図１のＡ−Ａに沿う拡大断面図である。
【００１６】
図１に示す電子装置用筐体１０は、内部に電子装置あるいは電子部品（以下、電子装置という。）（図示せず）を装着した電子装置用筐体本体１１と、この電子装置用筐体本体１１の両側面に設けられる開口１１ａ，１１ｂが開閉自在になるように扉体（蓋体を含む）１３Ａおよび１３Ｂとより構成される。これらの扉体１３Ａおよび１３Ｂには、電子装置用筐体本体１１内に設けられる電子装置の作動時において発生する障害波となる電波や電子音等の音波が発生するために、これらの電波や音波が外部へ漏出して電波障害や音波障害を防ぐために設けられる。
【００１７】
また、電子装置用筐体本体１１は、図１の点線で示すように、背面上部に排気装置用穴１１ｃが設けられ、この排気装置用穴１１ｃに面して排気装置１２が取り付けられる。この排気装置１２は、電子装置用筐体本体１１内の電子装置からの発熱を吸熱した吸熱空気ｂ２を外部に排出する。例えば強制排気ファン１２ａと駆動モータ１２ｂを備えている。
【００１８】
扉体１３Ａには、表面１３Ａａおよび裏面１３Ｂａ間に空洞部ｋが設けられる。この空洞部ｋには、図２に示すように、電波等透過抑制手段１４Ａが設けられる。この電波等透過抑制手段１４Ａには、音波の透過を抑制する音波吸収体１７と、電波の透過を抑制する電波反射体１８が設けられる。そして、この電波等透過抑制手段１４Ａは、その基板部１６が、扉体１３Ａの内側上下に掛け渡して取り付けられている。
【００１９】
また、扉体１３Ａは、その表面１３Ａａには、通気孔として透孔群１４ａおよび１４ｂが設けられる。更に、扉体１３Ａの裏面１３Ａｂの周面には、電波ｘや音波ｙの漏洩を抑制するシールパッキング１５が設けられる。このシールパッキング１５は、電波や音波の漏洩を抑制するために、例えば導電性を有する金属粉を混入したやや弾力性を有する材料が用いられる。
【００２０】
扉体１３Ａの空洞部ｋに設けられる電波等透過抑制手段１４Ａは、例えば図３および図４に示すように、方形状をなす板面を有する基板部１６と、この基板部１６の両面に添付される、例えばラバー状の音波吸収体１７および電波反射体１８が設けられる。
【００２１】
基板部１６は、図２〜図４に示すように、通気性を阻害させない一方で電波の透過を抑制する複数の透孔１９ａからなる透孔群１９が設けられる。
【００２２】
ラバー状の音波吸収体１７は、図３に示すように、外気ｂ１を通過させる通気性を有する一方で、水分ｃの通過を抑制する吸湿性をも備えたものであって、吸入される外気ｂ１が乾燥された状態となり電子装置を冷却する際に、湿気を嫌う電子装置にとって好適する。
【００２３】
また、電波反射体１８は、電波吸収体１８ａと、この電波吸収体１８ａの外面を覆うように設けられた電波反射層、例えば導電層１８ｂとにより構成される。電波吸収体１８ａは、音波ｙや水分ｃをも吸収する一方、通気性にも優れているスポンジ状の素材、例えばウレタンフォームが用いられる。
【００２４】
ラバー状の音波吸収体１７および電波反射体１８の外面を波面に形成している。この波面の形成により電子装置用筐体本体１１内の電子装置から発する音波ｙの吸音作用がより効果的に得られる。
【００２５】
また、電波反射体１８の導電層１８ｂは、電子装置から発する電波の漏洩を防止するもので、波の振幅は、図３に示すように、λ／４以下の寸法が望まれる。この形状にすることにより、電波の漏洩抑制効果が向上する。
【００２６】
また、導電層１８ｂには、図示しないが、電波波長がλ／４以下の開口幅の通気孔を設けてもよい。この場合には、外気ａ１が電波吸収体１８ａ側からも通過できるようになり通気性が一層向上する。更にまた、基板部１６の透孔群１９は、通気用としてのみならず、透孔１９ａの開口幅をλ／４以下の寸法にして、電波透過抑制作用を得るようにしてもよい。
【００２７】
このような構成の基板部１６を採用した場合には、電波反射体１８の導電層１８ｂを不要とすることができる。
【００２８】
なお、符号２１は、扉体１３Ａには、扉体１３Ａを開閉動作させるための取っ手である。
【００２９】
扉体１３Ｂは、扉体１３Ａと同様形状であるので説明を省略する。
【００３０】
次に、電子装置用筐体１０の作用について説明する。
【００３１】
電子装置用筐体１０内の電子装置（図示せず）が作動すると、電子装置用筐体本体１１内の電子装置から電波ｘおよび音波ｙを発する。
【００３２】
この電波ｘは、電波等透過抑制手段１４Ａの電波反射体１８の導電層１８ｂの反射作用により電波ｘが反射される。この反射にあたっては、波状に設けられた振幅の高さがλ／４以下に設定されているので電波ｘの透過がより一層抑制される。
【００３３】
なお、基板部１６に設けられる透孔群１９の透孔１９ａをλ／４以下の開口幅寸法にした場合には、この基板部１６により電波の漏洩がより一層抑制効果が一層向上する。
【００３４】
また、電子装置の作動に伴い排気装置１２が作動すると、扉体１３Ａの前方から外気ｂ１が電子装置用筐体本体１１内に吸引され、電子装置の自己発熱を吸収して吸熱空気ｂ２が生成されて天井部の排気装置用孔１１ｃから外部へ放熱する。
【００３５】
一方、音波ｙは、図２の実線で示すように、電波ｘと同様に、扉体１３Ａの透孔群１４ａおよび１４ｂから漏れ出ようとするが、電波等透過抑制手段１４Ａの音波吸収体１７により、更には電波反射体１８の電波吸収体１８ａにより大部分が吸収され、外部への漏洩が抑制される。
【００３６】
更には、排気装置１２が作動することにより、扉体１３Ａおよび１３Ｂ側から吸引される外気ｂ１は、図２の実線矢印に示す流路を通過する途中で、図３の点線で示すように、電波等透過抑制手段１４Ａの音波吸収体１７および電波反射体１８の電波吸収体１８ａを通過する際に、外気ｂ１に含まれる水分ｃが取除かれる。従って、外気ｂ１が電子装置の周囲に漂っても水分ｃの影響がないので水分を嫌う電子装置に対してよい環境が得られる。
【００３７】
また、扉体１３Ａのシールパッキング１５部からも、電波ｘおよび音波ｙが一部は漏れ出ようとするが、電波ｘはシールパッキング１５部の導電性作用により電波漏洩を抑止できる一方、音波ｙについては、シールパッキング１５による電子装置用筐体本体１１への密閉作用により音漏れが抑制される。
【００３８】
従って、電子装置用筐体本体１１に搭載した電子装置の電磁環境適合性（ＥＭＣ）について、一定の評価を得ることができる。
【００３９】
なお、扉体１３Ｂは、上記扉体１３Ａと同様に作用するので説明を省略する。
【００４０】
従って、電子装置用筐体１０の排気装置１２が作動することにより、電子装置用筐体本体１１内の電子装置の作用により発生する電波ｘや音波ｙの扉体１３Ａあるいは更に扉体１３Ｂにより外部への漏洩を抑制することができる。
【００４１】
更には、電子装置の作用により発生した発熱を吸収した吸熱空気ｂ２は、排気装置１２により外部に排出され、電子装置の過熱による劣化を防止する一方、性能を維持に寄与させることができる。
【００４２】
更には、上述した扉体１３Ａ（１３Ｂ）は、蓋体であっても差し支えなく、電子装置用筐体本体１１内に設けられる電子装置の取り付けや交換に差し支えない電子装置用筐体本体１１の壁体の一部が開放可能な構成であればよい。
【００４３】
また、電波等透過抑制手段１４Ａの音波吸収体１７の特性として、音波吸収に加えて水分ｃの吸収作用を得るようにしたが、必ずしも水分ｃの吸収の作用は必要ではない。また、音波吸収体１７は、振動を吸収する特性を備えたものを用いることができる。
【００４４】
更に、電子装置用筐体本体１１の天井部に設けた排気装置１２は、必ずしもこの位置に特定されず、電子装置用筐体本体１１の底面部（図示せず）や側面部に１つまたは複数個設けてもよい。
【００４５】
更にまた、上述した本発明の電子装置用筐体１０によれば、図２に示すように、扉体１３Ａの表面１３Ａａおよび裏面１３Ａｂに設けた透孔群１４ａおよび１４ｂのそれぞれの孔の開口幅ｄをλ／４以下に形成した場合には、これらの透孔群１４ａおよび１４ｂから電波漏洩はなくなるので、扉体１３Ａの空洞部ｋに設けた電波等透過抑制手段１４Ａの電波透過抑制機能は必要ではなく、単なる音波吸収機能を有するものであっても差し支えない。
【００４６】
また、上記構成の場合、電波等透過抑制手段１４Ａは、単に音波吸収機能を有すればよいので音波吸収体１７のみを設ける構成でもよい。
【００４７】
更にまた、電波等透過抑制手段１４Ａの基板部は、扉体１３Ａの内側上下に掛け渡して取り付けられているので、扉体１３Ａの表面１３Ａａ，裏面１３Ａｂへの外気ｂ１の通気性がよい一方で、電子装置用筐体本体１１側からの電波ｘや音波ｙの漏洩を抑制し得る構成になっているが、必ずしもこの構成にかぎらず、柱状のもの数本を用いて電子装置用筐体本体１１側に懸架支持してもよい。
【図面の簡単な説明】
【００４８】
【図１】本発明の電子装置用筐体の概要を示す斜視図。
【図２】図１のＡ−Ａに沿う拡大断面図。
【図３】図２のＢ部の拡大図。
【図４】図２に示す音波吸収手段の基板部の拡大斜視図。
【図５】従来の道路用として用いられる電磁波電子音吸収壁体の斜視図。
【図６】図５のＢ−Ｂ線に沿う拡大断面図。
【符号の説明】
【００４９】
１０  電子装置用筐体
１１  電子装置用筐体本体
１１ａ，１１ｂ  開口
１１ｃ  排気装置用穴
１２  排気装置
１２ａ  強制排気ファン
１２ｂ  駆動モータ
１３Ａ，１３Ｂ  扉体
１３Ａａ，１３Ｂａ  表面
１３Ａｂ，１３Ｂｂ  裏面
１４Ａ  電波等透過抑制手段
１４ａ，１４ｂ，１９  透孔群
１５  シールパッキング
１６  基板部
１７  音波吸収体
１８  電波反射体
１８ａ  電波吸収体
１８ｂ  電波反射層（導電層）
１９ａ  透孔
２１  取っ手
ｂ１  外気
ｂ２  吸熱空気
ｃ  水分
ｋ  空洞部
ｘ  電波
ｙ  音波
【図１】
2009016481.tif 000003
【図２】
2009016481.tif 000004
【図３】
2009016481.tif 000005
【図４】
2009016481.tif 000006
【図５】
2009016481.tif 000007
【図６】
2009016481.tif 000008